(57)【特許請求の範囲】
【請求項１】
砲身(1)を有する尾筒(2)に作動自在に設けられ薬室(10,11)を有する鎖栓(6)を介して弾薬(3)の装填及び薬莢(3A,3B)の薬莢排出通路(40,41)への排出を行うようにしたプッシュスルー型機関砲における弾薬位置決め機構において、前記鎖栓(6)の前面位置に設けられカムホイール(22)により揺動自在に構成されたレバー(20)により出没自在でかつばね(30)によって上方へ常時付勢され爪(15)とストップ面(16)を段状に形成して有するストッパ(14)と、前記薬莢(3A,3B)の後部に形成されたストップ溝(18)とを有し、前記弾薬(3)の装填及び前記薬莢(3A,3B)の排出に必要な期間のみ前記ストッパ(14)の爪(15)とストップ溝(18)との係合を解除し、前記薬莢排出通路(40,41)に前記薬莢(3A,3B)がある場合は前記薬莢(3A,3B)の前記ストップ溝(18)に前記ストッパ(14)の爪(15)が入り込んで前記薬莢(3A,3B)の動きを止めると共に前記弾薬(3)の前面(3a)が前記ストップ面(16)に当接して位置決めされ、前記薬莢排出通路(40,41)に前記薬莢(3A,3B)がない場合、前記弾薬(3)の前面(3a)が前記ストップ面(16)に当接して止められるように構成したことを特徴とするプッシュスルー型機関砲における弾薬位置決め機構。
【請求項２】
前記鎖栓(6)は２個の薬室(10,11)を有し、かつ前記砲身(2)の軸方向に対して直交する直交方向(E)に往復移動するように構成されていることを特徴とする請求項１記載のプッシュスルー型機関砲における弾薬位置決め機構。
【発明の詳細な説明】
【０００１】
【発明の属する技術分野】
本発明は、プッシュスルー型機関砲における弾薬位置決め機構に関し、特に、薬莢排出通路を通過する薬莢のストップ溝にストッパ爪を係合させることにより、後方に位置する弾薬を薬室内に規制して位置決めするための新規な改良に関する。
【０００２】
【従来の技術】
従来、用いられていたこの種のプッシュスルー型機関砲においては、その性格上、装填された弾薬は、薬室内に正確にとどまる必要がある。もし、弾薬が薬室からはみ出した場合、すなわち、装填量不足、あるいは、装填量過剰又は装填時の弾薬の慣性運動、砲の後復座運動等によって薬室の前方又は後方に弾薬がはみ出すと弾薬は、鎖栓と鎖栓室とにはさまれ、鎖栓は動けなくなり、射撃は不能状態となる。
図１２及び図１３に示す方法が採用され、図１２は発射状態で図１３は装填状態を示している。砲身１の尾筒２には弾薬３を装填すると共にランマー機構４とカム機構５によって上下動自在に移動する鎖栓６が設けられ、鎖栓６の前方位置にはストップ面７が形成されている。
従って、この不具合を防ぐ一法でランマー機構４で装填された弾薬位置は、すでに薬室に存する薬莢によって、弾薬３は薬室内にとどまるようになっている。すなわち、薬莢は、前方のストップ面７に当たることによって、弾薬位置が定まる。
また、他の従来構成としての第２方法においては、装填ランマーによって装填する弾薬を保持して装填後、弾薬を解放する方法が提案されている。
【０００３】
【発明が解決しようとする課題】
従来のプッシュスルー型機関砲は、以上のように構成されていたため、次のような課題が存在していた。
すなわち、図１２及び図１３の第１方法では、薬莢長さは射撃前と後で変わらないという前提でなり立つが、実際には、発射時の高いガス圧により長さが変わることが知られている。
従って、薬莢長さが増加した場合は、装填量不足、減少した場合は、薬莢のはみ出し現象が起こり得る。
また、最初の射撃開始時においては、薬室に薬莢はないため、この場合、ダミーの薬莢を薬室に入れておく等の処置が必要となるなどの不具合があった。
この第２方法は、高速度で動くランマーを大きく、重くするので、駆動上の不利はまぬがれない。また、複雑化し、かつランマーで弾薬を保持するように、送弾経路も複雑化する欠点があった。
【０００４】
本発明は、以上のような課題を解決するためになされたもので、特に、薬莢排出通路を通過する薬莢のストップ溝にストッパの爪を係合させることにより、後方に位置する弾薬を薬室内に規制して位置決めするようにしたプッシュスルー型機関砲における弾薬位置決め機構を提供することを目的とする。
【０００５】
【課題を解決するための手段】
本発明によるプッシュスルー型機関砲における弾薬位置決め機構は、砲身を有する尾筒に作動自在に設けられ薬室を有する鎖栓を介して弾薬の装填及び薬莢の薬莢排出通路への排出を行うようにしたプッシュスルー型機関砲における弾薬位置決め機構において、前記鎖栓の前面位置に設けられカムホイールにより揺動自在に構成されたレバーにより出没自在でかつばねによって上方へ常時付勢され爪とストップ面を段状に形成して有するストッパと、前記薬莢の後部に形成されたストップ溝とを有し、前記弾薬の装填及び前記薬莢の排出に必要な期間のみ前記ストッパの爪とストップ溝との係合を解除し、前記薬莢排出通路に前記薬莢がある場合は前記薬莢の前記ストップ溝に前記ストッパの爪が入り込んで前記薬莢の動きを止めると共に前記弾薬の前面が前記ストップ面に当接して位置決めされ、前記薬莢排出通路に前記薬莢がない場合、前記弾薬の前面が前記ストップ面に当接して止められる構成であり、また、前記鎖栓は２個の薬室を有し、かつ前記砲身の軸方向に対して直交する直交方向に往復移動するようにした構成である。
【０００６】
【発明の実施の形態】
以下、図面と共に本発明によるプッシュスルー型機関砲における弾薬位置決め機構の好適な実施の形態について述べる。なお、従来例と同一又は同等部分には同一符号を付して説明する。
図１において符号１で示されるものは尾筒２に設けられた砲身であり、この尾筒２の鎖栓室１２には一対の薬室１０，１１を有する鎖栓６が砲身１の軸方向と直交する直交方向Ｘ（図２に示す）に沿って往復移動自在に構成されている。なお、前記鎖栓６の後方位置には、ランマー４が設けられている。
【０００７】
前記尾筒２における前記鎖栓６の前面位置に形成された保持孔１３内には、ストッパ１４が矢印Ｅに沿って上下動自在に設けられ、このストッパ１４の先端は、図８で示されるように、爪１５及びこの爪１５と連続して段状に形成されたストップ面１６が形成されている。なお、この爪１５は図７の薬莢３Ａ，３Ｂのストップ溝１８に係合可能とされ、このストップ面１６には後続の弾薬３の先端が当接して位置決めがされるように構成されている。
【０００８】
前記ストッパ１４は、軸１９により矢印Ｆの方向に往復揺動自在に設けられたレバー２０に軸１４ａを介して軸支されており、このレバー２０の端部に形成されたローラ２１は、軸２２ａに設けられたカムホイール２２と当接し、このカムホイール２２にピン２３ａを介して一体状に設けられた第１ギヤ２３はモータ２４及び減速機２５を介して回転する駆動軸２６の第２ギヤ２７と噛合している。
なお、このカムホイール２２には図４で示すように所定の角度範囲Ｄのみストロークａ分だけ突出して形成された突部２３ａが形成され、ばね３０により常時上方へ付勢されたストッパ１４を引き下げるように構成されている。
また、前述のストッパ１４及びカムホイール２２の構成は、図４では一方のみしか示していないが、鎖栓６に一対の薬室１０，１１が形成されているため、実際には図６で示されるように各薬室１０，１１に対応して一対で構成されているが、ここでは一方のみについて具体的に説明している。
【０００９】
次に、動作について述べる。まず、本形態は、外部動力駆動、鎖栓方式の機関砲に実施した例であり、鎖栓６には、一対の薬室１０，１１が形成され、この鎖栓６は、左又は右方向に往復移動及びその位置で停止、固定するように構成されている。停止位置においては、各薬室１０，１１の内の一方は、薬莢排出通路４０に対応した薬莢排出位置となり、その後方のランマー４によって装填される。他方は、薬莢排出通路４１と一致する。
今、図３の状態において、鎖栓６の薬室１１には、薬莢３Ａが、またその前方の薬莢排出通路４１には、以前に排出された薬莢３Ｂがストッパ１４の爪１５が薬莢３Ｂのストップ溝１８に入り込むことによって保持されている。
一方、装填位置にある弾薬３は、ランマー４によって薬室１１に押込まれて装填される。
なお、ランマー４の動きと鎖栓６の動きの関係は、図１１に示されるとおりであり、鎖栓６が停止している間に、ランマー４は装填方向に動いて装填するように構成されている。
【００１０】
一方、ストッパ１４の動きは、ランマー４の動き始める少し前からカムホイール２２、レバー２０の動きで、ばね３０を圧縮しながら下方へ下げられ、ストッパ１４の爪１５は、薬莢３Ｂのストップ溝１８から引抜かれて、薬莢３Ｂは、動き得る状態となる。
この状態でランマー４は、弾薬３を押し始め、その結果、鎖栓６内の薬莢３Ａ及び薬莢排出通路４１内の薬莢３Ｂを前方へ押し出す。
さらにカムホイール２２が回転すると、ストッパ１４はフリーとなり、ばね３０によって上方へ押し上げられる。この薬莢排出通路４１に薬莢３Ｂのある場合は、爪１５は薬莢３Ｂに押付けられる。
前記弾薬３がさらに押込まれ、薬莢３Ａのストップ溝１８が爪１５の上にくると、ストッパ１４は、ばね３０で押上げられて、爪１５はストップ溝１８に入り込んで薬莢３Ａの動きを止め、従って、弾薬３の前面３ａが爪１５のストップ面１６に当接して動きが止まり、位置決めされる。
また、薬莢排出通路４１に薬莢３Ｂのない場合も、ストッパ１４は同様の動きを示す。この場合は、弾薬３は、その前面がストッパ１４のストップ面１６によって規制されて止まる。
以上は、鎖栓６の右側について述べたが、左側についても前述と同様に作動するものでここでは省略している。また、前述の一対の薬室型ではなく一薬室型の鎖栓６においても、同様に行われる。
なお、薬莢３Ａ，３Ｂ後部の寸法は、射撃によっても寸法の変化がないことが知られている。従って、ストップ溝１８で止められた薬莢３Ａ，３Ｂの後端面は、鎖栓６の前面と常に一致し、その後方に装填された弾薬３の位置は薬室１１内にある。また、ランマー４は、装填終了後もその位置にとどまるので、装填された弾薬３が後方へはみ出すことはない。
【００１１】
すなわち、前記弾薬３の装填及び薬莢３Ａ，３Ｂの排出に必要な期間のみストッパ１４の爪１５とストップ溝１８との係合を解除し、薬莢排出通路４１を通過する薬莢３Ａ，３Ｂのストップ溝１８にストッパ１４の爪１５を係合させることにより、薬莢３Ａの後方に位置する装填された弾薬３を薬室１１内に規制することができる。
【００１２】
【発明の効果】
本発明によるプッシュスルー型機関砲における弾薬位置決め機構は、以上のように構成されているため、次のような効果を得ることができる。
すなわち、射撃開始時に、その先に発射した弾薬の薬莢の有無にかかわらず、装填された弾薬を鎖栓の薬室内に規制できる。
従って、射前の操作が簡単になる。また、余分なストッパがいらない。
射撃による薬莢長さの変化に無関係であるので停止精度が高くなり、トラブルが減少する。
ランマーは単に押すだけの機能をもたせればよいので、簡単な構造にでき、軽量化が図れる。
ストッパの出没動作はカムとレバーの伝達であるので、作動が確実に行われる。
【図面の簡単な説明】
【図１】  本発明によるプッシュスルー型機関砲における弾薬位置決め機構を示す構成図である。
【図２】  図１のＢ−Ｂ断面図である。
【図３】  図１のＡ−Ａ断面図である。
【図４】  図１のＣ−Ｃ断面図である。
【図５】  図４のＤ−Ｄ断面図である。
【図６】  図１の要部を示す構成図である。
【図７】  図１の要部を示す構成図である。
【図８】  図５のストッパを拡大して示す分解斜視図である。
【図９】  ストッパと薬莢の関係を示す構成図である。
【図１０】  ストッパと薬莢の関係を示す構成図である。
【図１１】  本発明の鎖栓とストッパの動きを示すタイミング図である。
【図１２】  従来のプッシュスルー型機関砲の発射状態を示す構成図である。
【図１３】  図１２の発射後の再装填を示す構成図である。
【符号の説明】
１    砲身
２    尾筒
３    弾薬
３ａ    前面
３Ａ，３Ｂ    薬莢
６    鎖栓
１０，１１    薬室
１４    ストッパ
１５    爪
１６    ストップ面
１８    ストップ溝
２０    レバー
２２    カムホイール
３０    ばね
４０，４１    薬莢排出通路
Ｅ    直交方向
【図１】
0003894269.tif 000002
【図２】
0003894269.tif 000003
【図３】
0003894269.tif 000004
【図４】
0003894269.tif 000005
【図５】
0003894269.tif 000006
【図６】
0003894269.tif 000007
【図７】
0003894269.tif 000008
【図８】
0003894269.tif 000009
【図９】
0003894269.tif 000010
【図１０】
0003894269.tif 000011
【図１１】
0003894269.tif 000012
【図１２】
0003894269.tif 000013
【図１３】
0003894269.tif 000014